(57)【要約】【課題】  容易に外れることがなく、また、容易に形状やデザインを変更することができる化粧用パネル体及びこのようなパネル体を有する擁壁を提供すること。【解決手段】擁壁ブロック１０１と、擁壁ブロック１０１の露出面に配置される化粧用パネル体１０２と、を有する擁壁１００であって、化粧用パネル体１０２は、立部１０８ａと底部１０８ｂとを有する二つのＬ字脚１０８と、二つの立部１０８ａを連結する連結部材１０９と、により形成される保持部材１０６にコンクリートからなる擬木による板体１０５を取り付けることにより形成されていることを特徴とする擁壁１００を提供する。【選択図】    図１
2005048526.tif 000002
【特許請求の範囲】
【請求項１】
籠体に収納材を収納することにより形成される擁壁ブロックの露出面に配置される化粧用パネル体であって、
化粧用部材と、前記化粧用部材を立てた状態に保持する保持部材と、を備える化粧用パネル体。
【請求項２】
前記保持部材は、立部と底部とを有する二つのＬ字脚と、二つの前記立部を連結する連結部材と、により形成されており、前記化粧用部材は、前記連結部材に取り付けられていることを特徴とする請求項１に記載の化粧用パネル体。
【請求項３】
前記保持部材は、立部と底部とを有する二つのＬ字脚により形成されており、前記化粧用部材は、二つの前記立部に掛け渡されていることを特徴とする請求項１に記載の化粧用パネル体。
【請求項４】
前記化粧用部材は、自然木又は擬木により形成された板体であることを特徴とする請求項１乃至３の何れか一項に記載の化粧用パネル体。
【請求項５】
一つの前記保持部材には、複数の前記板体が取り付けられていることを特徴とする請求項１乃至３の何れか一項に記載の化粧用パネル体。
【請求項６】
複数の前記板体は、隣接する前記板体同士の間に所定の間隔が空き、かつ、相互に平行となるように前記保持部材に取り付けられていることを特徴とする請求項５に記載の化粧用パネル体。
【請求項７】
籠体に収納材を収納することにより形成される擁壁ブロックと、前記擁壁ブロックの露出面に配置される化粧用パネル体と、により形成される擁壁であって、
前記化粧用パネル体は、請求項１乃至６の何れか一項に記載の化粧用パネル体であることを特徴とする擁壁。
【発明の詳細な説明】
【技術分野】
【０００１】
本発明は、擁壁ブロックの露出面に配置される化粧用パネル体及びこのようなパネル体を有する擁壁に関する。
【背景技術】
【０００２】
従来の擁壁構造物としては、特許文献１に記載されたものがあった。
【０００３】
図７に表されているように、特許文献１に記載された擁壁構造物５００は、金網より構成され上面が開口した枠体５０１の内部に割栗石５０２と植栽土壌５０３とを入れることにより構成されており、この枠体５０１の前面に半割り丸太５０４が接着剤により接着されていた。
【特許文献１】特開平８−１２０６９５号公報
【発明の開示】
【発明が解決しようとする課題】
【０００４】
しかしながら、従来の擁壁構造物５００のように、金網により形成される枠体５０１に半割り丸太５０４を接着剤で接着したのでは、この半割り丸太５０４が容易に外れてしまい、特に、枠体５０１の内部に割栗石５０２と植栽土壌５０３とを入れる際に、枠体５０１が変形すると容易にこの半割り丸太５０４が外れてしまい、不便であった。
【０００５】
また、従来の擁壁構造物５００では、半割り丸太５０４により構成される面を湾曲させたい場合やこの面のデザインを変えたい場合には、擁壁構造物５００自体の形状を変化させなければならず不便であった。
【０００６】
そこで、本発明は、容易に外れることがなく、また、容易に形状やデザインを変更することができる化粧用パネル体及びこのようなパネル体を有する擁壁を提供する。
【課題を解決するための手段】
【０００７】
以上の課題を解決するため、本発明は、籠体に収納材を収納することにより形成される擁壁ブロックの露出面に配置される化粧用パネル体であって、化粧用部材と、前記化粧用部材を立てた状態に保持する保持部材と、を備える化粧用パネル体を提供する。
【０００８】
このように、擁壁ブロックと別個に化粧用パネル体を製作することにより、擁壁ブロックが変形しても容易に外れることがなく、また、容易に形状やデザインを変更することができるようになる。
【０００９】
ここで、保持部材を、立部と底部とを有する二つのＬ字脚と、これらの二つ立部を連結する連結部材と、により形成し、化粧用部材をこの連結部材に取り付けることで、この化粧用部材を立てた状態に保持することができるようになる。
【００１０】
また、保持部材を、立部と底部とを有する二つのＬ字脚により形成し、化粧用部材をこれらの二つの立部に掛け渡たすことでも、この化粧用部材を立てた状態に保持することができるようになる。
【００１１】
化粧用部材については、自然木又は擬木からなる板体により形成することができる。
【００１２】
ここで、一つの保持部材には、複数の板体を取り付けることも可能であり、一つの保持部材に複数の板体を取り付ける場合には、隣接する板体同士の間に所定の間隔が空き、かつ、相互に平行となるようにすることができる。
【００１３】
また、本発明は、籠体に収納材を収納することにより形成される擁壁ブロックと、前記擁壁ブロックの露出面に配置される化粧用パネル体と、により形成される擁壁であって、前記化粧用パネル体は、請求項１乃至６の何れか一項に記載の化粧用パネル体であることを特徴とする擁壁を提供する。
【００１４】
このように擁壁ブロックと化粧用パネル体とを別個に作成して、擁壁とすることにより、擁壁ブロックが変形しても容易に外れることがなく、また、容易に形状やデザインを変更することができるようになる。
【発明の効果】
【００１５】
以上のように、本発明によれば、擁壁ブロックと別個に化粧用パネル体が形成されているため、擁壁ブロックが変形しても容易に外れることがなく、また、容易に形状やデザインを変更することができるようになる。
【発明を実施するための最良の形態】
【００１６】
図１は、本発明の第一の実施形態に係る擁壁１００の分解斜視図である。
【００１７】
本実施形態に係る擁壁１００は、擁壁ブロック１０１と、化粧用パネル体１０２と、により構成されている。
【００１８】
擁壁ブロック１０１は、少なくとも底面１０３ａと、側面１０３ｂと、を有する籠体１０３に、収納材としての石１０４を収納することにより構成されている。
【００１９】
籠体１０３の材質については、収納材を収納することができ、かつ、通水性を有する材料、例えば、金属製、繊維製、樹脂製又は木製の網により形成することができ、本実施形態においては、金属製の網により形成している。
【００２０】
この籠体１０３の大きさ・形状については、法面等の擁護用の壁体とすることができる範囲で適時選択することができる設計事項であり、この籠体１０３を置く場所等に対応して、適時変更することができるが、本実施形態においては直方体に形成している。
【００２１】
なお、収納材としての石１０４については、どのようなものを用いてもよいが、本実施形態においては、割栗石を用いている。
【００２２】
ここで、この籠体１０３に石１０４を収納することにより擁壁ブロック１０１を形成し、この擁壁ブロック１０１同士を上に重ねたり横に並べたりすることで、法面等の擁護用の壁体とすることができるようにしている。
【００２３】
化粧用パネル体１０２は、化粧用部材としての板体１０５と、保持部材１０６と、により構成されている。
【００２４】
化粧用部材は、擁壁ブロック１０１同士を上に重ねたり横に並べたりした際に、この擁壁ブロック１０１の露出面の装飾を施すものであり、本実施形態においては、コンクリートからなる擬木の板材１０５を複数並べることにより、形成している。
【００２５】
保持部材１０６は、立部１０８ａと底部１０８ｂとを有するＬ字脚１０８が二つと、この二つのＬ字脚１０８の立部１０８ａの上下端において、これらの立部１０８ａ同士を連結する二つの連結部材１０９と、により形成されている。
【００２６】
ここで、本実施形態においては、保持部材１０６を耐食性のアルミ合金により形成している
二つの連結部材１０９には、板体１０５を複数掛け渡すように取り付けることで、この板体１０５を立てた状態にすることができる。
【００２７】
なお、連結部材１０９に板体１０５を取り付ける際には、適当な取付手段を選択すればよく、例えば、釘、ボルトとナット、接着剤等を用いることができる。
【００２８】
ここで、この二つの連結部材１０９に板体１０５を取り付ける場合には、図２（化粧用パネル体１０２の正面図）に表されているように隣接する板体１０５同士を密着させて取り付けることもでき、また、図３（化粧用パネル体１０２’の正面図）に表されているように隣接する板体１０５同士の間に所定の間隔が空くように取り付けることもできる。
【００２９】
なお、隣接する板体１０５同士の間に所定の間隔が空くようにしておくことで、通水性がよくなる。
【００３０】
また、本実施形態においては、Ｌ字脚１０８は、立部１０８ａの一端に底部１０８ｂの一端を垂直方向から連結することにより形成されているが、この立部１０８ａと底部１０８ｂとを連結する角度を変更することにより、板体１０５を立てる角度を変更することができるようになる。
【００３１】
以上のように構成される擁壁１００は、まず、化粧用パネル体１０２を設置し、その後、籠体１０３を設置し、この籠体１０３の内部に石１０４を収納することにより、設置される。
【００３２】
したがって、擁壁ブロック１０１と別個に化粧用パネル体１０２が形成されているため、擁壁ブロック１０１が変形しても容易に外れることがなく、また、化粧用パネル体１０２を取り替えるのみで、容易に形状やデザインを変更することができるようになる。
【００３３】
なお、本実施形態においては、二つのＬ字脚１０８の立部１０８ａの上下端に二つの連結部材１０９を取り付けているが、この連結部材１０９の数については少なくとも一つ以上の数で、任意の数を選択することができ、この数を増やすほど板材１０５を強固に固定することができる。
【００３４】
また、本実施形態においては、連結部材１０９を二つの立部１０８ａを直線状に連結するようにしているが、この連結部材１０９を、曲線状、例えば、板体１０５を取り付ける側に凸となるように曲線状に形成することにより、板体１０５の表面１０５ａの表面により形成される面を曲面状に形成することも可能である。
【００３５】
さらに、本実施形態では、板体１０５の表面１０５ａを平面状に形成しているが、この表面１０５ａを曲面状に形成することも可能である。
【００３６】
図４は、本発明の第二の実施形態に係る擁壁２００の分解斜視図である。
【００３７】
本実施形態に係る擁壁２００は、擁壁ブロック１０１と、化粧用パネル体２０２と、により構成されている。
【００３８】
擁壁ブロック１０１については、第一の実施形態と同様に構成されているため、説明を省略する。
【００３９】
化粧用パネル体２０２は、化粧用部材としての板体２０５と、保持部材２０６と、により構成されている。
【００４０】
化粧用部材は、擁壁ブロック１０１同士を上に重ねたり横に並べたりした際に、この擁壁ブロック１０１の露出面の装飾を施すものであり、本実施形態においては、コンクリートからなる擬木の板材２０５を複数並べることにより形成している。
【００４１】
保持部材２０６は、立部２０８ａと底部２０８ｂとを有するＬ字脚２０８を二つ、所定の間隔が空くように並べることで形成されている。
【００４２】
なお、本実施形態においても、保持部材２０６は耐食性のアルミ合金により形成されている。
【００４３】
そして、所定の間隔を空けて二つ並べられたＬ字脚２０８の立部２０８ａに板体２０５を複数掛け渡すように取り付けることで、この板体２０５を立てた状態にすることができる。
【００４４】
なお、板体２０５を立部２０８ａに取付ける取付手段としては、適当な手段を用いることができ、例えば、釘、ボルトとナット、接着剤等を用いることができる。
【００４５】
ここで、この二つの立部２０８ａに板体２０５を取り付ける場合には、図５（化粧用パネル体２０２の正面図）に表されているように隣接する板体２０５同士を密着させて取り付けることもでき、また、図６（化粧用パネル体２０２’の正面図）に表されているように隣接する板体２０５同士の間に所定の間隔が空くように取り付けることもできる。
【００４６】
なお、隣接する板体２０５同士の間に所定の間隔が空くようにしておくことで、通水性がよくなる。
【００４７】
また、本実施形態においても、Ｌ字脚２０８は、立部２０８ａの一端に底部２０８ｂの一端を垂直方向から連結することにより形成されているが、この立部２０８ａと底部２０８ｂとを連結する角度を変更することにより、板体２０５を立てる角度を変更することができるようになる。
【００４８】
以上のように構成される擁壁２００は、まず、化粧用パネル体２０２を設置し、その後、籠体１０３を設置し、この籠体１０３の内部に石１０４を収納することにより、設置される。
【００４９】
したがって、擁壁ブロック１０１と別個に化粧用パネル体２０２が形成されているため、擁壁ブロック１０１が変形しても容易に外れることがなく、また、化粧用パネル体２０２を取り替えるのみで、容易に形状やデザインを変更することができるようになる。
【００５０】
以上に記載した実施形態においては、板材１０５、２０５により化粧用部材を形成したが、この化粧用部材を天然石、擬石等により形成することも可能である。
【００５１】
以上に記載した実施形態においては、板体１０５、２０５をコンクリートからなる擬木により形成したが、これらを自然木や樹脂製の擬木により形成することも可能である。
【００５２】
また、保持部材１０６、２０６については、耐食性のアルミ合金により形成したが、これらを他の金属、樹脂等で形成した擬木又は自然木により形成することも可能である。
【００５３】
さらに、以上に記載した実施形態においては、籠体１０３に収納材として石１０４を収納することとしたが、この収納材については、籠体１０３を固定することができるものであればどのようなものであってもよく、例えば、土や土及び石の混合物であってもよい。
【００５４】
また、本実施形態においては、表面２０５ａが平面状の板体２０５を用いているが、この表面２０５ａが曲面状となるようにすることもできる。
【図面の簡単な説明】
【００５５】
【図１】擁壁１００の分解斜視図。
【図２】化粧用パネル体１０２の正面図。
【図３】化粧用パネル体１０２’の正面図。
【図４】擁壁２００の分解斜視図。
【図５】化粧用パネル体２０２の正面図。
【図６】化粧用パネル体２０２’の正面図。
【図７】従来の擁壁構造物５００を表す上方斜視図。
【符号の説明】
【００５６】
１００、２００  擁壁
１０１  擁壁ブロック
１０２、２０２  化粧用パネル体
１０３  籠体
１０４  石
１０５、２０５  板体
１０６、２０６  保持部材
１０８、２０８  Ｌ字脚
１０９  連結部材
【図１】
2005048526.tif 000003
【図２】
2005048526.tif 000004
【図３】
2005048526.tif 000005
【図４】
2005048526.tif 000006
【図５】
2005048526.tif 000007
【図６】
2005048526.tif 000008
【図７】
2005048526.tif 000009